【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
発光用の光モジュールであって、
可視波長範囲内の光を放射する少なくとも１つの、好ましくは少なくとも３つのレーザダイオード（２ａ、２ｂ、２ｃ）を備え、前記レーザダイオード（２ａ、２ｂ、２ｃ）は好ましくはダイオードホルダ内に配置され、特に圧入され、前記光モジュールはさらに、
レーザダイオードごとに１つの平行化装置（３ａ、３ｂ、３ｃ）と、
個々の前記レーザダイオード（２ａ、２ｂ、２ｃ）の放射光をまとめるためのビーム合成装置（４）、特にダイクロイックミラー（４ａ、４ｂ、４ｃ）を有するビーム合成装置（４）と、
合流ビームを成形するためのビーム成形装置（５）、またはレーザダイオード（２ａ、２ｂ、２ｃ）ごとに１つのビーム成形装置（５）と、
不可視光を生成するための少なくとも１つのエミッタ（６）、特にＩＲレーザダイオードとを備え、
前記エミッタ（６）は、放射された前記不可視光が前記ビーム合成装置（４）を通って案内されないように、および／または前記ビーム成形装置（５）を通って案内されないように配置され、前記エミッタ（６）は好ましくは、放射された前記不可視光が、ビーム経路の方向において前記合流ビームを成形するためのビーム成形装置（５）の後で前記合流ビームの領域（１０）内に結合されるように配置されることを特徴とする、光モジュール。
【請求項２】
フィルタ（８）が設けられ、前記フィルタを介して前記不可視光を前記レーザダイオード（２ａ、２ｂ、２ｃ）の前記合流ビームの前記領域内に結合することができ、前記フィルタ（８）は、前記ビーム経路の方向において前記合流ビームを成形するための前記ビーム成形装置（５）の後に配置されることを特徴とする、請求項１に記載の光モジュール。
【請求項３】
前記レーザダイオード（２ａ、２ｂ、２ｃ）は、それぞれの前記レーザダイオード（２ａ、２ｂ、２ｃ）から出てくる前記光が、隣接する前記レーザダイオード（２ａ、２ｂ、２ｃ）から出てくる前記光と実質的に平行に整列するように、並んで配置されることを特徴とする、請求項１または２に記載の光モジュール。
【請求項４】
前記エミッタ（６）、特に前記ＩＲレーザダイオードは、前記レーザダイオード（２ａ、２ｂ、２ｃ）の１つに隣り合って配置され、前記エミッタ（６）から出てくる前記光は、隣接する前記レーザダイオードから出てくる前記光と実質的に平行に整列していることを特徴とする、請求項１から３のいずれか１項に記載の光モジュール。
【請求項５】
請求項１から４のいずれか１項に記載の光モジュールを備える投影モジュールであって、
前記投影モジュール（１００）は走査装置（１３）、特にＭＥＭＳミラーを備え、これにより、少なくとも前記レーザダイオード（２ａ、２ｂ、２ｃ）からの可視光を、好ましくはさらに前記エミッタ（６）の前記不可視光を、前記走査装置（１３）によって偏向させることができることを特徴とする、投影モジュール。
【請求項６】
前記投影モジュール（１００）、特に前記光モジュール（１、１′）は、前記不可視光用の検出器（１１、１１′）、特にＩＲ検出器を備え、前記検出器を用いて、反射した不可視光、特にＩＲ光を検出することができ、前記検出器は好ましくは評価ユニットを備えるかまたは評価ユニットに接続可能であり、これによって、検出した前記不可視光が評価可能になることを特徴とする、請求項５に記載の投影モジュール。
【請求項７】
前記投影モジュール、特に前記光モジュール（１、１′）は制御ユニットを備えるかまたは制御ユニットに接続可能であり、前記制御ユニットは、前記レーザダイオード（２ａ、２ｂ、２ｃ）、前記走査装置（１３）および／または前記エミッタ（６）を制御することを特徴とする、請求項５または６に記載の投影モジュール。
【請求項８】
特に請求項１から５のいずれか１項に記載の光モジュール（１）を用いて可視光および不可視光を放射する方法であって、
レーザダイオード（２ａ、２ｂ、２ｃ）から可視光を放射するステップと、
それぞれの前記レーザダイオード（２ａ、２ｂ、２ｃ）から放射された前記可視光を平行化するステップと、
放射された前記可視光をビーム合成装置（４）において合成するステップと、
それぞれの前記レーザダイオード（２ａ、２ｂ、２ｃ）から放射された前記可視光または合成光をビーム成形装置（５）において、特にプリズム望遠鏡において成形するステップと、
エミッタ（６）から不可視光を、特にＩＲレーザダイオード（２ａ、２ｂ、２ｃ）から赤外光を放射するステップと、
前記不可視光が前記ビーム合成装置（４）および／または前記ビーム成形装置（５）を通って案内されることなく、前記光モジュール（１）から前記不可視光を送出する、特に前記光モジュール（１、１′）から前記可視光および不可視光を共に送出するステップとを備え、前記不可視光は特に、ビーム経路の方向において合流ビームを成形するためのビーム成形装置（５）の後で前記合流ビームの領域（１０）内に結合される、方法。
【請求項９】
反射した前記不可視光、特にＩＲ光は、特に前記光モジュール（１）内に配置される検出器（１１、１１′）、特にＩＲ検出器によって検出されることを特徴とする、請求項８に記載の方法。
【請求項１０】
前記レーザダイオード（２ａ、２ｂ、２ｃ）、前記エミッタ（６）、特に前記ＩＲレーザダイオード、および／または走査装置（１３）、特にＭＥＭＳミラーは制御ユニットによって制御されることを特徴とする、請求項８または９に記載の方法。
【請求項１１】
光モジュール（１）を製造する方法であって、
可視波長範囲内の光を放射する少なくとも１つの、好ましくは３つのレーザダイオード（２ａ、２ｂ、２ｃ）を、前記レーザダイオード（２ａ、２ｂ、２ｃ）が特に互いに隣り合って配置されて互いに実質的に平行な光を放射するように、ダイオードホルダ（９）に入れる、特に圧入するステップと、
１つの平行化装置（３ａ、３ｂ、３ｃ）を各レーザダイオードの前に配置するステップと、
個々の前記レーザダイオード（２ａ、２ｂ、２ｃ）から放射された可視光を合成するための１つのダイクロイックミラー（４ａ、４ｂ、４ｃ）をレーザダイオード（２ａ、２ｂ、２ｃ）ごとにセットするステップと、
ビーム成形装置（５）、好ましくはプリズム望遠鏡を、合成された可視光を形成するように位置決めするステップと、
ＩＲレーザダイオード（６）を、ダイオードホルダ（９）内の、特に前記レーザダイオード（２ａ、２ｂ、２ｃ）の隣の位置に配置する、特に圧入するステップとを備え、これにより、前記ＩＲレーザダイオードは前記レーザダイオード（２ａ、２ｂ、２ｃ）に実質的に平行な光を放射し、当該ＩＲ光は、ビーム合成装置（４）の後でのみ可視の前記レーザダイオード（２ａ、２ｂ、２ｃ）の合成光と合成される、方法。
【手続補正２】
【補正対象書類名】明細書
【補正対象項目名】００２３
【補正方法】変更
【補正の内容】
【００２３】
本発明の配置によって設置が容易になり、光モジュールを低コストで入手可能にすることができる。
【手続補正３】
【補正対象書類名】明細書
【補正対象項目名】００５８
【補正方法】変更
【補正の内容】
【００５８】
ビーム成形装置、好ましくはプリズム望遠鏡を用いて、合成された可視光が形成される。
不可視光エミッタ、特にＩＲレーザダイオードがダイオードホルダに、好ましくは可視光レーザダイオードが入れられるのと同じダイオードホルダに入れられ、特に圧入される。
【手続補正４】
【補正対象書類名】明細書
【補正対象項目名】００６５
【補正方法】変更
【補正の内容】
【００６５】
図１は、光モジュール１の第１の例の概略図を斜視図で示す。図２は同じ例を平面図で示す。光モジュール１は、可視波長範囲内の光を放射する３つのレーザダイオード２ａ、２ｂ、２ｃを含む。レーザダイオード２ａ、２ｂ、２ｃはダイオードホルダ９内に配置される。